(57)【要約】【課題】  ユーザが異なる場合であっても、当該ユーザに適した操作系を提供することができ、画像の撮影または再生に係る操作を容易に行うことのできる表示制御装置及び表示制御方法を提供する。【解決手段】  記録、再生、または通信の少なくとも何れかの動作モードを設定するモード設定手段と、使用者を識別する情報を取得する識別情報取得手段と、操作部材をポインティングデバイスと対応する位置に表示する操作部表示手段と、機能及び配置の異なる複数の操作部材のデータを記憶する記憶手段と、使用者の識別情報に基づいて操作部材のデータを設定し、操作部表示手段に表示する操作部材設定手段と、操作部表示手段に表示された操作部材の機能とポインティングデバイスの位置及び入力を対応付ける操作入力制御手段とを有する表示制御装置。【選択図】図２
2006186589.tif 000002
【特許請求の範囲】
【請求項１】
画像の撮影または再生に係る操作を行うポインティングデバイスを有する表示制御装置であって、
記録、再生、または通信の少なくとも何れかの動作モードを設定するモード設定手段と、
上記表示制御装置の使用者を識別する情報を取得する識別情報取得手段と、
上記ポインティングデバイスに対応した操作部材を表す表示をこのポインティングデバイスと対応する位置に表示する操作部表示手段と、
上記操作部表示手段に表示する操作部材として、機能及び配置の異なる複数の操作部材のデータを記憶する記憶手段と、
上記識別情報取得手段により取得された上記使用者の識別情報に基づいて上記操作部材のデータを設定し、上記操作部表示手段に表示する操作部材設定手段と、
上記操作部表示手段に表示された操作部材の機能と上記ポインティングデバイスの位置及び入力を対応付ける操作入力制御手段と
を有することを特徴とする表示制御装置。
【請求項２】
上記識別情報取得手段は、予め設定された使用者識別スイッチの操作に基づいて識別情報を取得することを特徴とする請求項１に記載の表示制御装置。
【請求項３】
生体情報を検出する生体情報検出手段を更に有し、
上記識別情報取得手段は、上記生体情報に基づいて識別情報を取得することを特徴とする請求項１に記載の表示制御装置。
【請求項４】
上記使用者を識別する情報に基づいて、表示機能を制限することを特徴とする請求項１に記載の表示制御装置。
【請求項５】
撮影または再生に係る画像を表示する画像表示部を更に有し、
上記操作部表示手段の表示は上記画像表示部の近傍に配置することを特徴とする請求項１に記載の表示制御装置。
【請求項６】
上記操作部表示手段に表示する操作部材を表す表示は、千鳥配置されることを特徴とする請求項１に記載の表示制御装置。
【請求項７】
上記画像表示部に上記操作に関連した情報を表示することを特徴とする請求項１に記載の表示制御装置。
【請求項８】
上記動作モードを変更するときは、操作部材を表す表示を上記動作モードに応じて変更することを特徴とする請求項１に記載の表示制御装置。
【請求項９】
画像の撮影または再生に係る操作を行うポインティングデバイスを有する表示制御装置の表示制御方法であって、
記録、再生、または通信の少なくとも何れかの動作モードを設定するモード設定ステップと、
上記表示制御装置の使用者を識別する情報を取得する識別情報取得ステップと、
上記ポインティングデバイスに対応した操作部材を表す表示をこのポインティングデバイスと対応する位置に表示する操作部表示ステップと、
上記操作部表示ステップで表示する操作部材として、機能及び配置の異なる複数の操作部材のデータを記憶する記憶ステップと、
上記識別情報取得ステップで取得された上記使用者を識別する情報に基づいて上記操作部表示ステップで表示するための上記操作部材のデータを設定する操作部材設定ステップと、
上記操作部表示ステップで表示された操作部材の機能と上記ポインティングデバイスの位置及び入力を対応付ける操作入力制御ステップと
を有することを特徴とする表示制御方法。
【発明の詳細な説明】
【技術分野】
【０００１】
本発明は、ユーザが異なる場合であっても、当該ユーザに適した操作系を提供することができ、画像の撮影または再生に係る操作を容易に行うことのできる表示制御装置及び表示制御方法に関する。
【背景技術】
【０００２】
デジタルカメラには、デジタル技術を活かして多くの様々な機能が搭載されている。しかしながら、種々の機能が実現可能となっている反面、その機能を使用するための操作パネルには、搭載した機能に見合う多数の操作ボタンが必要とされる。
【０００３】
そこで、特許文献１には、複数の電気機器を共通に操作するためのリモートコントロール装置にタッチパネル式の操作パネルを用い、操作しようとする電気機器に応じて表示画像を変更する技術が開示されている。
【０００４】
また、特許文献２には、タッチパネル上に表示する指示画像の大きさ、位置、色、表示数を変更可能とし、指示画像の大きさに応じてタッチパネルのキー入力部の大きさを変更する技術が開示されている。
【特許文献１】特開２０００−１３４６８１号公報
【特許文献２】特開平９−８１０９４号公報
【発明の開示】
【発明が解決しようとする課題】
【０００５】
ところで、上記開示技術を用いた場合、専用操作部材を用いた場合と比較すると、汎用化の代償として操作性が悪くなることも考えられる。
【０００６】
例えば、機器単体が多機能な場合、ユーザによって使用目的、頻度が異なるが、全てのユーザに対応可能とするために、却って操作表示が複雑な分かりにくいものになるおそれがある。更に、スペース上の制約があるため、操作部材を見やすい最適な位置に配置することが困難な場合が多い。更に、ユーザに個人差があることも無視できない。
【０００７】
しかしながら、上記特許文献１、２には、これらの問題の解決を図るための記載、解決を示唆する記載はされていない。
【０００８】
本発明は係る事情に鑑みてなされたものであって、ユーザが異なる場合であっても、当該ユーザに適した操作系を提供することができ、画像の撮影または再生に係る操作を容易に行うことのできる表示制御装置及び表示制御方法を提供することを目的とする。
【課題を解決するための手段】
【０００９】
上記課題を解決するための、本発明に係る請求項１に記載の表示制御装置は、画像の撮影または再生に係る操作を行うポインティングデバイスを有する表示制御装置であって、記録、再生、または通信の少なくとも何れかの動作モードを設定するモード設定手段と、上記表示制御装置の使用者を識別する情報を取得する識別情報取得手段と、上記ポインティングデバイスに対応した操作部材を表す表示をこのポインティングデバイスと対応する位置に表示する操作部表示手段と、上記操作部表示手段に表示する操作部材として、機能及び配置の異なる複数の操作部材のデータを記憶する記憶手段と、上記識別情報取得手段により取得された上記使用者の識別情報に基づいて上記操作部材のデータを設定し、上記操作部表示手段に表示する操作部材設定手段と、上記操作部表示手段に表示された操作部材の機能と上記ポインティングデバイスの位置及び入力を対応付ける操作入力制御手段とを有する。
【００１０】
また本発明に係る請求項２に記載の表示制御装置は、上記記載の発明である表示制御装置において、上記識別情報取得手段は、予め設定された使用者識別スイッチの操作に基づいて識別情報を取得する。
【００１１】
また本発明に係る請求項３に記載の表示制御装置は、上記記載の発明である表示制御装置において、生体情報を検出する生体情報検出手段を更に有し、上記識別情報取得手段は、上記生体情報に基づいて識別情報を取得する。
【００１２】
また本発明に係る請求項４に記載の表示制御装置は、上記記載の発明である表示制御装置において、上記使用者を識別する情報に基づいて、表示機能を制限する。
【００１３】
また本発明に係る請求項５に記載の表示制御装置は、上記記載の発明である表示制御装置において、撮影または再生に係る画像を表示する画像表示部を更に有し、上記操作部表示手段の表示は上記画像表示部の近傍に配置する。
【００１４】
また本発明に係る請求項６に記載の表示制御装置は、上記記載の発明である表示制御装置において、上記操作部表示手段に表示する操作部材を表す表示は、千鳥配置される。
【００１５】
また本発明に係る請求項７に記載の表示制御装置は、上記記載の発明である表示制御装置において、上記画像表示部に上記操作に関連した情報を表示する。
【００１６】
また本発明に係る請求項８に記載の表示制御装置は、上記記載の発明である表示制御装置において、上記動作モードを変更するときは、操作部材を表す表示を上記動作モードに応じて変更する。
【００１７】
また本発明に係る請求項９に記載の表示制御方法は、画像の撮影または再生に係る操作を行うポインティングデバイスを有する表示制御装置の表示制御方法であって、記録、再生、または通信の少なくとも何れかの動作モードを設定するモード設定ステップと、上記表示制御装置の使用者を識別する情報を取得する識別情報取得ステップと、上記ポインティングデバイスに対応した操作部材をこのポインティングデバイスと対応する位置に表示する操作部表示ステップと、上記操作部表示ステップで表示する操作部材として、機能及び配置の異なる複数の操作部材のデータを記憶する記憶ステップと、上記識別情報取得ステップで取得された上記使用者を識別する情報に基づいて上記操作部表示ステップで表示するための上記操作部材のデータを設定する操作部材設定ステップと、上記操作部表示ステップで表示された操作部材の機能と上記ポインティングデバイスの位置及び入力を対応付ける操作入力制御ステップとを有する。
【発明の効果】
【００１８】
本発明によれば、ユーザが異なる場合であっても、当該ユーザに適した操作系を提供することができ、画像の撮影または再生に係る操作を容易に行うことができる。
【発明を実施するための最良の形態】
【００１９】
まず、本発明に係る表示制御装置で使用するタッチパネルについて説明する。
【００２０】
図１は、抵抗膜方式のタッチパネルの原理を説明する図である。タッチパネルは、ガラスとそのガラスを覆う透明のフィルムで構成されている。このガラスとフィルムの対向するそれぞれの面には透明導電物質であるＩＴＯ（インジュウム錫酸化物）が電極格子を形成して設けられている。
【００２１】
通常では、ガラスとフィルムとは離れているが、フィルムを指またはペン等で押し下げることにより、ガラスとフィルムとの導電膜が接触して導通回路が形成される。従って、ガラス面とフィルム面のそれぞれの電極格子の抵抗による分圧を測定することで、押された平面内の位置（ＸＹ座標）を検出することができる。
【００２２】
このタッチパネルを複数の操作部位を配置して表示する表示部（例えば、ＴＦＴ液晶）上に設け、上述の方法によって押された位置を検出することで、ユーザが操作した部位を特定することができる。即ち、タッチパネルなどのポインティングデバイスは表示部と組み合わせることにより所定の操作機能を有する操作入力手段として使用することができる。
【００２３】
なお、本発明で使用するタッチパネルは、ここで説明した抵抗膜方式に限られず、公知のタッチパネルである、超音波表面弾性波方式、赤外線遮光方式、静電容量方式、電磁誘導方式のタッチパネルを用いても良い。また、表示部は、例えば、ＴＦＴ液晶の他に電源を切っても表示画像が消えないメモリ性液晶表示素子を用いても良い。
【００２４】
以下、デジタルカメラを例として、本発明に係る表示制御装置の種々の実施の形態について説明する。
【００２５】
［第１の実施の形態］
図２は、第１の実施の形態の表示制御装置を備えたデジタルカメラ１の構成を示すブロック図である。
【００２６】
デジタルカメラ１は、撮影レンズ系１１、撮像素子１２、撮像回路１３、ＡＥ１５、ＡＦ１６、画像処理回路１７、着脱メモリ１８、表示部２１、表示駆動回路２２、タッチパネル２３、内蔵メモリ２５、パワーＳＷ２６、モードＳＷ２７、操作部材２８、ＣＰＵ３０、電池３１及び電源回路３２を備えている。
【００２７】
撮影レンズ系１１はズーム光学系、絞り部、オートフォーカス光学系などを備えている。撮像素子１２は、例えば数百万画素からなる受光部を有し、撮影レンズ系１１を介して入射した被写体像を電気信号に変換する。撮像回路１３は、ＡＧＣ（自動利得制御）処理、及びＣＤＳ（相関２重サンプリング）処理などの信号処理を画像データに施す。ＡＥ１５は、画像データを基に自動露出演算を実行する。ＡＦ１６は、画像データを基に自動焦点演算を実行する。
【００２８】
画像処理回路１７ではＹ（輝度）／Ｃ（色）生成処理、適切な色バランスを有するＲＧＢ信号に関する色マトリクス処理等の処理が施される。着脱メモリ１８は、画像データを格納する記録媒体である。
【００２９】
表示部２１は、タッチパネル用の複数の操作部位を配置して表示する。表示駆動回路２２は、表示部２１の表示動作を制御する。タッチパネル２３は、ユーザが操作した平面上の位置を検知する。入力部２４は、表示部２１、表示駆動回路２２、タッチパネル２３を組み合わせることにより構成され、操作入力手段として機能することができる。
【００３０】
内蔵メモリ２５は、種々のデータを保存する。パワーＳＷ２６は、デジタルカメラ１の電源をオン／オフする。モードＳＷ２７は、ユーザを特定するための情報（初心者、上級者）、デジタルカメラの動作モード（通信モード、再生モード、撮影モード）を入力するためのスイッチである。操作部材２８は、レリーズボタンなど所定の機能を専用に操作するための部材である。
【００３１】
ＣＰＵ３０は、デジタルカメラ１の動作を統括して制御する。電池３１、電源回路３２は、デジタルカメラ１の各部に電源を供給する。
【００３２】
次に、第１の実施の形態に係る表示制御装置の動作について説明する。
【００３３】
図３は、デジタルカメラ１の背面図である。デジタルカメラ１の背面には、入力部２４、モードＳＷ２７、液晶モニタ３５、ファインダ３６及びレリーズボタン３７が備えられている。そして、モードＳＷ２７には、使用者モードＳＷ２７ａと動作モードＳＷ２７ｂとが設けられている。
【００３４】
図３では、使用者モードＳＷ２７ａは「初心者モード」に設定され、動作モードＳＷ２７ｂは「撮影モード」に設定されている。「初心者モード」は、特殊な機能を使用せずに基本的な機能を用いた撮影を行うときに使用するモードである。この「初心者モード」を選択することにより、入力部２４には、操作部材として、「ＺＯＯＭ」、「フラッシュ」、「セルフタイマ」、「マクロ」、「十字キー」、「メニュー」、「決定」が表示される。また、動作モードＳＷ２７ｂを「撮影モード」に設定することにより、液晶モニタ３５には、被写体のスルー画像が表示される。
【００３５】
ユーザが入力部２４の「フラッシュ」を押すごとに、フラッシュ撮影の使用禁止と解除とを指示することができる。図４の液晶モニタ３５には、フラッシュ撮影が禁止されている旨の表示がされている。
【００３６】
ユーザが入力部２４の「メニュー」を押すと、図５の液晶モニタ３５には、メニュー画面が表示される。ユーザは入力部２４の「十字キー」、「決定」を操作することにより、「再生」、「編集」、「メモリカード」、「設定」の各タブを選択して所望の処理を実行することができる。
【００３７】
図６には、使用者モードＳＷ２７ａを「上級者モード」に設定した状態を示している。入力部２４には、基本機能に関する操作部材に加え新たに操作部材として、「ドライブ」、「測光」、「露出補正」、「ＩＳＯ」が表示される。これによりユーザは特殊な条件での撮影、連写撮影、露出・感度を設定した撮影等を実行することができる。
【００３８】
図７には、動作モードＳＷ２７ｂを「再生モード」に設定した状態を示している。液晶モニタ３５には、着脱メモリ１８に保存されている撮影した画像が表示され、入力部２４には、新たに操作部材として、「コマ送り」、「コマ戻し」、「拡大表示」、「インデックス表示」、「プリント予約」が表示される。これによりユーザは撮影した画像を選択して表示することができ、またプリントを行うように外部装置（不図示）等に対して指示することができる。
【００３９】
図８には、動作モードＳＷ２７ｂを「通信モード」に設定した状態を示している。入力部２４には、アルファベットと数字のキーが表示される。ユーザはこのキーを入力することによって、外部装置（不図示）とメールなどの情報の送受信を行うことができる。
【００４０】
なお、これらの操作部材の種類と配置位置は、デフォルト値として、あるいは予め設定されたデータとして内蔵メモリ２５に記憶されている。
【００４１】
なお、液晶モニタ３５は、デジタルカメラ１の背面に固定して設けずに、引き出して回転動作、あるいは俯仰動作ができるように可動構造としても良い。また、液晶モニタ３５と入力部２４を別体でなく一体として構成しても良い。さらに、モードＳＷ２７を入力部２４に含めて構成しても良い。
【００４２】
続いて、上述の表示制御装置の動作を実現するための処理手順について説明する。図９は、表示制御装置のモード切換処理を示すフロー図である。
【００４３】
図９のステップＳ０１〜Ｓ０２において、デジタルカメラ１の電源が投入されたときは、ＣＰＵ３０はモードＳＷ２７の状態を調べる。そして、動作モードＳＷ２７ｂが「撮影モード」に設定されているときは、ステップＳ０３において、各種の初期設定を実施する。例えば、テーブルの値をデフォルトの値に設定し、あるいは前回の設定状態を復元する。
【００４４】
ステップＳ０５において、使用者モードＳＷ２７ａが初級者モードに設定されているときは、ステップＳ０６〜Ｓ０７において、表示部２１に初級者用の操作部材を表示して、タッチパネル２３を初級者用操作部材の表示位置に対応するように設定する。一方、ステップＳ０５において、使用者モードＳＷ２７ａが上級者モードに設定されているときは、ステップＳ０８〜Ｓ０９において、表示部２１に上級者用の操作部材を表示して、タッチパネル２３を上級者用操作部材の表示位置に対応するように設定する。
【００４５】
そして、ステップＳ１１においてレリーズ操作がされたときは、ステップＳ１２〜Ｓ１４において、ＡＥ１５、ＡＦ１６の結果に基づいて撮影条件を撮影レンズ系１１に設定して撮影を実行し、撮影画像を内蔵メモリ２５あるいは着脱メモリ１８に記録する。ステップＳ１７において、パワーＳＷ２６がＯＦＦされたときは、ステップＳ１８において、パワーオフ処理を実行する。ステップＳ１７において、パワーＳＷ２６がＯＦＦされないときは、その後新たなモードＳＷ２７操作あるいは新たなレリーズ操作があるかどうかを監視する待機状態となる。
【００４６】
一方、ステップＳ０２において、動作モードＳＷ２７ｂが再生モードに設定されているときは、ステップＳ２０において、使用者特定処理を実行する。この使用者特定処理は、上述のステップＳ０５〜Ｓ０９の処理と同一であるため詳細の説明を省略する。そして、再生に関する操作部材が操作されたときは、ステップＳ２１において該当する再生制御処理を実行し、その後新たなモードＳＷ２７操作あるいは新たな再生操作があるかどうかを監視する待機状態となる。
【００４７】
また、ステップＳ０２において、動作モードＳＷ２７ｂが通信モードに設定されているときは、ステップＳ２５において、使用者特定処理を実行する。この使用者特定処理は、上述のステップＳ０５〜Ｓ０９の処理と同一であるため詳細の説明を省略する。そして、通信に関する操作部材が操作されたときは、ステップＳ２６において該当する通信制御処理を実行し、その後新たなモードＳＷ２７操作あるいは新たな通信操作があるかどうかを監視する待機状態となる。
【００４８】
［第２の実施の形態］
図１０は、第２の実施の形態の表示制御装置を備えたデジタルカメラ１の構成を示すブロック図である。第２の実施の形態では、モードＳＷ２７に代えて指紋認識手段４０を備え、指紋を認識して使用者を特定する点が第１の実施の形態と異なっている。従って、第１の実施の形態と同一の部位には同一の符号を付してその詳細の説明を省略する。
【００４９】
図１１は、第２の実施の形態の表示制御装置に用いられるデジタルカメラ１の背面図である。第２の実施の形態では、指紋認識手段４０がパワーＳＷ２６と一体として構成されている。したがって、パワーＳＷ２６を操作するときに指紋を認識することができるため、ユーザが指紋認識のための特別な操作を行う必要がない。
【００５０】
指紋認識手段４０は指紋から使用者を特定して、その使用者に割り当てられている操作部材を入力部２４に表示する。この結果、図１１では、初心者モードに相当する操作部材が表示されている。図１２では、上級者モードに相当する操作部材が表示されている。
【００５１】
なお、入力部２４に表示する操作部材を、図１３に示すように千鳥状に配置することにより操作部材の表示数を増加することができ、また誤操作を低減することができる。更に、入力部２４をデジタルカメラ１に着脱可能に構成すれば、部品交換を容易に行うことができる。
【００５２】
次に、第２の実施の形態の表示制御装置の動作を実現するための処理手順について説明する。図１４は、指紋認識による表示切換処理手順を示すフロー図である。なお、第２の実施の形態では、第１の実施の形態で説明した動作モード（撮影、再生、通信）を設けていないが、動作モードに基づく振り分け処理を適宜組み合わせても良い。
【００５３】
図１４のステップＳ３１〜Ｓ３３において、デジタルカメラ１の電源が投入されたときは、指紋認識手段４０は撮影者の指紋を収集する。そして、各種の初期設定を実施する。例えば、テーブルの値をデフォルトの値に設定し、あるいは前回の設定状態を復元する。
【００５４】
ステップＳ３５において、指紋認識手段４０は収集した指紋が登録済みの指紋か、未登録の指紋かを認識する。この指紋登録処理については後で述べる。そして、指紋が登録済みであれば、ステップＳ３６〜Ｓ３７において、その指紋の登録者に対応した操作部材を表示部２１に表示する。そして、タッチパネル２３をその操作部材の表示位置に対応するように位置の設定を行う。一方、指紋が未登録であれば、ステップＳ３８〜Ｓ３９において、デフォルトで設定されている操作部材を表示する。そして、タッチパネル２３をその操作部材の表示位置に対応するように位置の設定を行う。
【００５５】
そして、ステップＳ４１においてレリーズ操作がされたときは、ステップＳ４２〜Ｓ４４において、ＡＥ１５、ＡＦ１６の結果に基づいて撮影条件を撮影レンズ系１１に設定して撮影を実行し、撮影画像を内蔵メモリ２５あるいは着脱メモリ１８に記録する。ステップＳ４７において、パワーＳＷ２６がＯＦＦされたときは、ステップＳ４８において、パワーオフ処理を実行する。ステップＳ４７において、パワーＳＷ２６がＯＦＦされないときは、その後新たな指紋の検出あるいは新たなレリーズ操作があるかどうかを監視する待機状態となる。
【００５６】
図１５は、指紋登録処理の手順を示すフロー図である。
【００５７】
ユーザが入力部２４のメニューから指紋登録を操作すると、ステップＳ５１において、指紋認識手段４０は指紋を収集し、その指紋が登録済みの指紋か、未登録の指紋かを認識する。
【００５８】
指紋が登録済みであった場合は、ステップＳ５２において、現在その指紋に対応して登録されている設定内容を液晶モニタ３５に表示して、ステップＳ５３において、ユーザに登録内容を変更するかどうかの選択を促す。
【００５９】
ユーザが登録内容を変更する場合、あるいは指紋が未登録であった場合は、ステップＳ５４において、登録設定変更画面を表示する。ユーザはこの設定画面を用いて、自分に適した操作部材を選択することができる。そして、ステップＳ５５〜Ｓ５６において、ユーザが設定を登録する操作を行ったときは、収集した指紋と設定内容を登録して処理を終了する。
【００６０】
［第３の実施の形態］
図１６は、第３の実施の形態の表示制御装置を備えたデジタルカメラ１の構成を示すブロック図である。第３の実施の形態では、モードＳＷ２７に代えて眼紋認識手段４１を備え、眼紋を認識して使用者を特定する点が第１の実施の形態と異なっている。従って、第１の実施の形態と同一の部位には同一の符号を付してその詳細の説明を省略する。
【００６１】
眼紋認識手段４１は、ファインダ３６と一体に構成されている。そして、ユーザがデジタルカメラ１をグリップしてファインダ３６を覗いたときに、眼紋認識手段４１は、撮影者の眼紋を収集して、その眼紋に対応する登録者が設定した操作部材を表示部２１に表示する。
【００６２】
なお、上述の内容以外の、デジタルカメラ１の背面の構成、眼紋認識による表示切換処理手順は、既に説明した内容と同様であるためその詳細の説明は省略する。
【００６３】
［第４の実施の形態］
図１７は、第４の実施の形態の表示制御装置を備えたデジタルカメラ１の構成を示すブロック図である。第４の実施の形態では、モードＳＷ２７に代えて声紋認識手段４２を備え、声紋を認識して使用者の属するグループを特定する点が第１の実施の形態と異なっている。従って、第１の実施の形態と同一の部位には同一の符号を付してその詳細の説明を省略する。
【００６４】
図１８は、第４の実施の形態の表示制御装置に用いられるデジタルカメラ１の背面図である。第４の実施の形態では、マイクロフォン４３が新たに設けられている。ユーザは撮影に際してマイクロフォン４３に向かって所定の声を発する。声紋認識手段４２は声から使用者の属するグループを特定して、そのグループに割り当てられている操作部材を入力部２４に表示する。この結果、図１８では、初心者モードに相当する操作部材が表示されている。
【００６５】
図１９は、子供がデジタルカメラ１を使用する場合のカメラ１の背面図を示している。声紋認識手段４２は声から使用者が子供であると認識すると、子供に割り当てられている操作部材を入力部２４に表示する。この結果、図１９では、操作部材はひらがなで表示されている。
【００６６】
図２０は、老人がデジタルカメラ１を使用する場合のカメラ１の背面図を示している。声紋認識手段４２は声から使用者が老人であると認識すると、老人に割り当てられている操作部材を入力部２４に表示する。この結果、図２０では、操作部材は大きな文字で表示されている。
【００６７】
次に、第４の実施の形態の表示制御装置の動作を実現するための処理手順について説明する。図２１は、声紋認識による表示切換処理手順を示すフロー図である。なお、第４の実施の形態では、第１の実施の形態で説明した動作モード（撮影、再生、通信）を設けていないが、動作モードに基づく振り分け処理を適宜組み合わせても良い。
【００６８】
図２１のステップＳ５１〜Ｓ５３において、デジタルカメラ１の電源が投入されたときは、声紋認識手段４２は音声を収集する。そして、各種の初期設定を実施する。例えば、テーブルの値をデフォルトの値に設定し、あるいは前回の設定状態を復元する。
【００６９】
ステップＳ５５において、声紋認識手段４２は収集した音声の声紋を調べて、撮影者が老人、子供、それ以外の人のいずれのグループに属するかを判断する。
【００７０】
そして、撮影者が老人であれば、ステップＳ５６〜Ｓ５７において、大きく表示した操作部材を表示部２１に表示する。そして、タッチパネル２３をその操作部材の表示位置に対応するように位置の設定を行う。また、撮影者が子供であれば、ステップＳ５８〜Ｓ５９において、ひらがなで書かれた操作部材を表示する。そして、タッチパネル２３をその操作部材の表示位置に対応するように位置の設定を行う。一方、撮影者がそれ以外の人であれば、ステップＳ６０〜Ｓ６１において、デフォルトで設定されている操作部材を表示する。そして、タッチパネル２３をその操作部材の表示位置に対応するように位置の設定を行う。
【００７１】
そして、ステップＳ６５においてレリーズ操作がされたときは、ステップＳ６６〜Ｓ６８において、ＡＥ１５、ＡＦ１６の結果に基づいて撮影条件を撮影レンズ系１１に設定して撮影を実行し、撮影画像を内蔵メモリ２５あるいは着脱メモリ１８に記録する。ステップＳ６９において、パワーＳＷ２６がＯＦＦされたときは、ステップＳ７０において、パワーオフ処理を実行する。ステップＳ６９において、パワーＳＷ２６がＯＦＦされないときは、その後新たなレリーズ操作があるかどうかを監視する待機状態となる。
【００７２】
［第５の実施の形態］
図２２は、第５の実施の形態の表示制御装置を備えたデジタルカメラ１の構成を示すブロック図である。第５の実施の形態では、声紋認識手段４２に代えて顔画像認識手段４５を備え、顔画像を認識して使用者の即するグループを特定する点が第４の実施の形態と異なっている。従って、第４の実施の形態と同一の部位には同一の符号を付してその詳細の説明を省略する。
【００７３】
顔画像認識手段４５は、レンズ４６、撮像素子４７、撮像回路４８を備えている。撮影者の光像は、レンズ４６を介して撮像素子４７上に結像する。撮像素子４７は、入射した被写体像を電気信号に変換し、撮像回路４８は、読み出した信号にＡＧＣ処理、ＣＤＳ処理などの信号処理を施して画像データを生成してＣＰＵ３０に出力する。
【００７４】
図２３は、第５の実施の形態の表示制御装置に用いられるデジタルカメラ１の背面図である。第５の実施の形態では、顔画像認識手段４５が新たに設けられている。顔画像認識手段４５は、ユーザがカメラをグリップしたとき、メニュー等の操作を行っているときなど、ユーザがレンズ４６に顔の正面を向けるタイミングで顔画像を撮影する。顔画像認識手段４５は、顔画像を生成してＣＰＵ３０に出力し、ＣＰＵ３０は顔画像から使用者の属するグループを特定して、そのグループに割り当てられている操作部材を入力部２４に表示する。この結果、図２３では、初心者モードに相当する操作部材が表示されている。
【００７５】
図２４は、子供がデジタルカメラ１を使用する場合のカメラ１の背面図を示している。顔画像認識手段４５は顔画像から使用者が子供であると認識すると、子供に割り当てられている操作部材を入力部２４に表示する。この結果、図２４では、操作部材はひらがなで表示されている。
【００７６】
図２５は、老人がデジタルカメラ１を使用する場合のカメラ１の背面図を示している。顔画像認識手段４５は声から使用者が老人であると認識すると、老人に割り当てられている操作部材を入力部２４に表示する。この結果、図２５では、操作部材は大きな文字で表示されている。
【００７７】
以上説明したように、上述の各実施の形態の表示制御装置では、
（１）初心者モードと上級者モードとを有し、モードに応じて操作系を出現させている。初心者モードでは、フラッシュ、セルフ、マクロ程度の基本機能に関する操作部材を表示し、上級者モードでは、更に十字キー、メニュー、ＯＫ、露出補正、ホワイトバランスなどの操作部材を表示している。
【００７８】
（２）使用者を特定する手段を備え、特定された使用者に応じた操作系を出現させている。使用者特定手段としては、指紋認識、音声認識、眼紋認識、顔画像認識などがある。また、使用者を特定するタイミングとしては、パワーオン時、メニュー操作時、カメラのグリップ時などである。特定された使用者に応じた操作系は、予め設定されたデータに基づいて表示しても良く、カメラが学習してよく使われているボタンを表示しても良い。
【００７９】
（３）使用者の属するグループを特定し、使用していると考えられるグループ用の操作系を出現させる。例えば、音声認識手段を有し、認識した音声により使用している人の年齢層や、性別を判断して、その層の人に応じた操作ボタンを入力部上に表示する。
【００８０】
このように構成することにより、ユーザが異なる場合であっても、そのユーザに適した操作系を提供することができるため、ユーザは画像の撮影または再生に係る操作を容易に行うことができる。なお、上述の（１）〜（３）に記載した内容の発明を構成する部分は、適宜組み合わせて新たな発明とすることができる。
【００８１】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８２】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００８３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８４】
【図１】抵抗膜方式のタッチパネルの原理を説明する図。
【図２】第１の実施の形態の表示制御装置を備えたデジタルカメラの構成を示すブロック図。
【図３】デジタルカメラの背面図。
【図４】デジタルカメラの背面図。
【図５】デジタルカメラの背面図。
【図６】デジタルカメラの背面図。
【図７】デジタルカメラの背面図。
【図８】デジタルカメラの背面図。
【図９】表示制御装置のモード切換処理を示すフロー図。
【図１０】第２の実施の形態の表示制御装置を備えたデジタルカメラ１の構成を示すブロック図。
【図１１】デジタルカメラの背面図。
【図１２】デジタルカメラの背面図。
【図１３】操作部材の千鳥状配置を示す図。
【図１４】指紋認識による表示切換処理手順を示すフロー図。
【図１５】指紋登録処理の手順を示すフロー図。
【図１６】第３の実施の形態の表示制御装置を備えたデジタルカメラの構成を示すブロック図。
【図１７】第４の実施の形態の表示制御装置を備えたデジタルカメラの構成を示すブロック図。
【図１８】デジタルカメラの背面図。
【図１９】デジタルカメラの背面図。
【図２０】デジタルカメラの背面図。
【図２１】声紋認識による表示切換処理手順を示すフロー図。
【図２２】第５の実施の形態の表示制御装置を備えたデジタルカメラの構成を示すブロック図。
【図２３】デジタルカメラの背面図。
【図２４】デジタルカメラの背面図。
【図２５】デジタルカメラの背面図。
【符号の説明】
【００８５】
１…デジタルカメラ、２１…表示部、２３…タッチパネル、２４…入力部、２７…モードスイッチ、２７ａ…使用者モードＳＷ、２７ｂ…動作モードＳＷ、３０…ＣＰＵ、３５…液晶モニタ、３６…ファインダ、４０…指紋認識手段、４１…眼紋認識手段、４２…声紋認識手段、４３…マイクロフォン、４５…顔画像認識手段。
【図１】
2006186589.tif 000003
【図２】
2006186589.tif 000004
【図３】
2006186589.tif 000005
【図４】
2006186589.tif 000006
【図５】
2006186589.tif 000007
【図６】
2006186589.tif 000008
【図７】
2006186589.tif 000009
【図８】
2006186589.tif 000010
【図９】
2006186589.tif 000011
【図１０】
2006186589.tif 000012
【図１１】
2006186589.tif 000013
【図１２】
2006186589.tif 000014
【図１３】
2006186589.tif 000015
【図１４】
2006186589.tif 000016
【図１５】
2006186589.tif 000017
【図１６】
2006186589.tif 000018
【図１７】
2006186589.tif 000019
【図１８】
2006186589.tif 000020
【図１９】
2006186589.tif 000021
【図２０】
2006186589.tif 000022
【図２１】
2006186589.tif 000023
【図２２】
2006186589.tif 000024
【図２３】
2006186589.tif 000025
【図２４】
2006186589.tif 000026
【図２５】
2006186589.tif 000027